(57)【要約】【課題】ケーブルが外れているのか、ケーブルは接続されているが信号が入力されていないのかを区別してユーザーに通知することが可能なプロジェクタ等を提供すること。【解決手段】プロジェクタ１０が、ノートＰＣ２０と接続されるケーブル３０がインターフェース部１４０の端子に接続されているかどうかを判定する接続判定部１１０と、前記ケーブルを介して信号が入力されているかどうかを判定する入力判定部１２０と、接続判定部１１０の判定結果が偽である場合と、接続判定部１１０の判定結果が真であり、かつ、入力判定部１２０の判定結果が偽である場合とで異なる通知を行う通知部１３０とを含んで構成される。【選択図】図２
2007206408.tif 000002
【特許請求の範囲】
【請求項１】
外部装置と接続されるケーブルが端子に接続されているかどうかを判定する接続判定部と、
前記ケーブルを介して信号が入力されているかどうかを判定する入力判定部と、
前記接続判定部の判定結果が偽である場合と、前記接続判定部の判定結果が真であり、かつ、前記入力判定部の判定結果が偽である場合とで異なる通知を行う通知部と、
を含むことを特徴とするプロジェクタ。
【請求項２】
請求項１に記載のプロジェクタにおいて、
前記接続判定部は、前記ケーブルと前記端子との物理的な接触を検出することによって前記ケーブルが前記端子に接続されているかどうかを判定することを特徴とするプロジェクタ。
【請求項３】
請求項１に記載のプロジェクタにおいて、
前記外部装置はＰＣであって、
前記接続判定部は、前記ケーブルを介して前記ＰＣと前記プロジェクタとの間で送受信されるプラグアンドプレイに関する信号を検出することによって前記ケーブルが前記端子に接続されているかどうかを判定することを特徴とするプロジェクタ。
【請求項４】
請求項１〜３のいずれかに記載のプロジェクタにおいて、
前記通知部は、前記接続判定部の判定結果が偽である場合、ケーブルが接続されていないことを示唆する画像を投写することを特徴とするプロジェクタ。
【請求項５】
請求項１〜４のいずれかに記載のプロジェクタにおいて、
前記通知部は、前記接続判定部の判定結果が真であり、かつ、前記入力判定部の判定結果が偽である場合、ケーブルは接続されているが信号が入力されていないことを示唆する画像を投写することを特徴とするプロジェクタ。
【請求項６】
外部装置と接続されるケーブルが端子に接続されているかどうかを判定する接続判定部と、
前記ケーブルを介して信号が入力されているかどうかを判定する入力判定部と、
通知部と、
を含むプロジェクタによる通知方法であって、
前記通知部は、
前記接続判定部の判定結果が偽である場合、ケーブルが接続されていないことを示唆する画像を投写し、
前記接続判定部の判定結果が真であり、かつ、前記入力判定部の判定結果が偽である場合、ケーブルは接続されているが信号が入力されていないことを示唆する画像を投写することを特徴とする通知方法。
【発明の詳細な説明】
【技術分野】
【０００１】
本発明は、ケーブルの接続有無を判定して通知するプロジェクタおよび通知方法に関する。
【背景技術】
【０００２】
例えば、特許文献１では、画像信号の入力の有無を判定するプロジェクタが記載されている。このように、画像信号の入力の有無を判定するプロジェクタは存在する。
【０００３】
従来のプロジェクタは、画像信号が入力されていないと判定した場合、「画像信号が入力されていません。」等のメッセージを含む画像を投写する。
【特許文献１】特開２００４−２３９９６８号公報
【発明の開示】
【発明が解決しようとする課題】
【０００４】
しかし、ユーザーにとっては、上記画像が投写された場合、ケーブルが外れているために画像信号が入力されていないのか、ケーブルは接続されているが画像信号が供給されていないために画像信号が入力されていないのか判断することは困難であった。
【０００５】
また、プロジェクタに接続されるケーブルとしては、例えば、セットトップボックスとの画像信号ケーブルおよび音声信号ケーブル、ハードディスクレコーダーとの画像信号ケーブルおよび音声信号ケーブル、ＰＣとの信号ケーブル等が該当する。このように、プロジェクタの場合、種々の機器と種々のケーブルで接続されるため、配線が複雑になりがちな上、使用する度にケーブルが接続される場合も多く、ケーブルが外れてしまう事態も発生しやすい。
【０００６】
さらに、プロジェクタがノートＰＣと接続される場合、ノートＰＣがプロジェクタに画像信号を出力する場合、特殊なキー操作（例えば、ファンクションキーとＦ５キーを同時に押す操作等）が必要になるため、従来の手法では、ユーザーは当該操作を忘れているのか、ケーブルが外れているのかを区別することが困難であった。
【０００７】
本発明の目的は、ケーブルが外れているのか、ケーブルは接続されているが信号が入力されていないのかを区別してユーザーに通知することが可能なプロジェクタおよび通知方法を提供することにある。
【課題を解決するための手段】
【０００８】
上記課題を解決するため、本発明に係るプロジェクタは、外部装置と接続されるケーブルが端子に接続されているかどうかを判定する接続判定部と、
前記ケーブルを介して信号が入力されているかどうかを判定する入力判定部と、
前記接続判定部の判定結果が偽である場合と、前記接続判定部の判定結果が真であり、かつ、前記入力判定部の判定結果が偽である場合とで異なる通知を行う通知部と、
を含むことを特徴とする。
【０００９】
また、本発明に係る通知方法は、外部装置と接続されるケーブルが端子に接続されているかどうかを判定する接続判定部と、
前記ケーブルを介して信号が入力されているかどうかを判定する入力判定部と、
通知部と、
を含むプロジェクタによる通知方法であって、
前記通知部は、
前記接続判定部の判定結果が偽である場合、ケーブルが接続されていないことを示唆する画像を投写し、
前記接続判定部の判定結果が真であり、かつ、前記入力判定部の判定結果が偽である場合、ケーブルは接続されているが信号が入力されていないことを示唆する画像を投写することを特徴とする。
【００１０】
本発明によれば、プロジェクタは、ケーブルが外れているのか、ケーブルは接続されているが信号が入力されていないのかを区別してユーザーに通知することができる。
【００１１】
また、前記接続判定部は、前記ケーブルと前記端子との物理的な接触を検出することによって前記ケーブルが前記端子に接続されているかどうかを判定してもよい。
【００１２】
これによれば、プロジェクタは、物理的な接触によって接続の有無を判定できるため、汎用的に接続の有無を判定することができる。
【００１３】
また、前記外部装置はＰＣであって、
前記接続判定部は、前記ケーブルを介して前記ＰＣと前記プロジェクタとの間で送受信されるプラグアンドプレイに関する信号を検出することによって前記ケーブルが前記端子に接続されているかどうかを判定してもよい。
【００１４】
これによれば、プロジェクタは、物理的な接触を検出することなく、接続の有無を判定できる。
【００１５】
また、前記通知部は、前記接続判定部の判定結果が偽である場合、ケーブルが接続されていないことを示唆する画像を投写してもよい。
【００１６】
これによれば、ユーザーは、ケーブルが接続されていないことを把握することができる。
【００１７】
また、前記通知部は、前記接続判定部の判定結果が真であり、かつ、前記入力判定部の判定結果が偽である場合、ケーブルは接続されているが信号が入力されていないことを示唆する画像を投写してもよい。
【００１８】
これによれば、ユーザーは、ケーブルは接続されているが信号が入力されていないことを把握することができる。
【発明を実施するための最良の形態】
【００１９】
以下、本発明をプロジェクタに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００２０】
図１は、本実施例におけるプロジェクタ１０の使用形態を示す図である。
【００２１】
プロジェクタ１０は、外部装置の一種であるノートＰＣ２０からケーブル３０を介して画像信号等を入力し、画像信号に基づく画像を投写する。
【００２２】
また、本実施例におけるプロジェクタ１０は、ケーブル３０の接続の有無と画像信号等の入力の有無を判定し、判定結果に応じて異なる通知を行う機能を有する。
【００２３】
次に、このような機能を実装するためのプロジェクタ１０の機能ブロックについて説明する。
【００２４】
図２は、本実施例におけるプロジェクタ１０の機能ブロック図である。
【００２５】
プロジェクタ１０は、ケーブル３０が接続される端子を含むインターフェース部１４０と、ケーブル３０が端子に接続されているかどうかを判定する接続判定部１１０と、ケーブル３０を介して画像信号等が入力されているかどうかを判定する入力判定部１２０と、接続判定部１１０の判定結果が偽である場合と、接続判定部１１０の判定結果が真であり、かつ、入力判定部１２０の判定結果が偽である場合とで異なる通知を行う通知部１３０とを含んで構成されている。
【００２６】
また、通知部１３０は、画像処理部１３２と、投写部１３４とを含んで構成されている。
【００２７】
なお、上述した各部の機能を実装するためのハードウェアとしては例えば以下のものを採用可能である。例えば、インターフェース部１４０としては端子等の入出力部、端子の感圧を検出するセンサー等、接続判定部１１０、入力判定部１２０としてはＣＰＵ等、画像処理部１３２としては画像処理回路等、投写部１３４としては液晶パネル、ランプ、ドライバ等を採用可能である。
【００２８】
次に、これらの各部を用いた通知の流れについて説明する。
【００２９】
図３は、本実施例における通知の流れを示すフローチャートである。
【００３０】
接続判定部１１０は、インターフェース部１４０に含まれる端子の感圧センサーのセンシング情報に基づき、一定時間（例えば、３０秒等）ごとに感圧状態かどうか、すなわち、ケーブル３０が端子に接続されているかどうかを判定する（ステップＳ１）。
【００３１】
通知部１３０は、当該判定結果が偽である場合、すなわち、ケーブル３０が端子に接続されていないと判定された場合、ケーブル３０が端子に接続されていないことを示す画像を投写する（ステップＳ２）。より具体的には、例えば、通知部１３０は、「ケーブルが端子に接続されていません。ケーブルと端子が接続されているか確認してください。」といった文字列を含む画像を投写する。
【００３２】
一方、上記判定結果が真である場合、すなわち、ケーブル３０が端子に接続されていると判定された場合、入力判定部１２０は、画像信号が入力されているかどうかを判定する（ステップＳ３）。
【００３３】
通知部１３０は、当該判定結果が偽である場合、すなわち、画像信号が入力されていないと判定された場合、ケーブル３０は接続されているが信号が入力されていないことを示す画像を投写する（ステップＳ５）。より具体的には、例えば、通知部１３０は、「ケーブルは接続されていますが、信号が入力されていません。ＰＣの設定を確認してください。」といった文字列を含む画像を投写する。
【００３４】
一方、ステップＳ３の判定結果が真である場合、すなわち、画像信号が入力されていると判定された場合、通知部１３０は、画像信号に基づく画像（通常画像）を投写する（ステップＳ４）。
【００３５】
入力判定部１２０は、終了指示を示す信号が入力されたかどうかを判定し（ステップＳ６）、プロジェクタ１０は、終了の場合は処理を終了し、終了ではない場合はステップＳ１〜Ｓ６の処理を繰り返し実行する。
【００３６】
以上のように、本実施例によれば、プロジェクタ１０は、ケーブル３０が外れているのか、ケーブル３０は接続されているが信号が入力されていないのかを区別してユーザーに通知することができる。
【００３７】
特に、プロジェクタ１０は、判定結果に応じて「ケーブルと端子が接続されているか確認してください。」、「ケーブルは接続されていますが、信号が入力されていません。ＰＣの設定を確認してください。」といった従来よりも具体的な通知を行うことができるため、ユーザーはより迅速かつ適切に対処することができる。
【００３８】
また、本実施例によれば、プロジェクタ１０は、感圧センサーによってケーブル３０と端子との物理的な接触を検出することができるため、汎用的にケーブル３０の接続有無を判定することができる。
【００３９】
なお、本発明は、上述した実施例に限定されず、種々の変形が可能である。
【００４０】
例えば、上述した実施例では、接続判定部１１０は、物理的な接触を検出したが、例えば、ケーブル３０を介してノートＰＣ２０とプロジェクタ１０との間で送受信されるプラグアンドプレイに関する信号を検出することによってケーブル３０が端子に接続されているかどうかを判定してもよい。
【００４１】
これによれば、プロジェクタ１０は、ハードウェア的な構成を変更することなく、接続判定を行うことができる。
【００４２】
なお、このようなケーブル３０としては、例えば、Ｄ−ＳＵＢコネクタを有するケーブル、ＤＶＩ−Ｄコネクタを有するケーブル、ＵＳＢケーブル、ＩＥＥＥ１３９４ケーブル等を採用可能である。
【００４３】
また、この場合、接続判定部１１０は、ＰＣのＯＳの機能を有してもよい。これにより、例えば、ＵＳＢケーブルが外れたことをプロジェクタ１０側で検出することができる。
【００４４】
また、上述した端子用の感圧センサーを外部装置側にも設けてもよい。そして、当該感圧センサーからの情報をＵＳＢケーブル等を介してインターフェース部１４０が入力し、接続判定部１１０が当該情報に基づいて外部装置側の端子にケーブル３０が接続されているかどうかを判定してもよい。
【００４５】
また、ケーブル３０と端子との物理的な接触を検出する手段は感圧センサーに限定されず、例えば、ケーブル３０が差し込まれたらオンになり、ケーブル３０が外されたらオフになるスイッチ等であってもよい。
【００４６】
また、入力判定部１２０が判定する対象は画像信号に限定されず、例えば、音声信号であってもよいし、画像信号と音声信号の入力有無を判定してもよい。
【００４７】
また、通知部１３０は、上述した実施例では、画像を用いて通知したが、例えば、音声、光等を用いて通知してもよい。例えば、光を用いる場合、通知部１３０は、ケーブルが接続されていない場合はプロジェクタ１０上部のケーブル未接続通知ランプを点灯し、信号が入力されていない場合はプロジェクタ１０上部の信号未入力通知ランプを点灯してもよい。
【００４８】
また、外部装置としては、ノートＰＣ２０以外にも、例えば、デスクトップＰＣ、ハードディスクレコーダー、ＤＶＤプレーヤー、セットトップボックス、ビデオ等の画像信号や音声信号を出力可能な種々の装置が該当する。
【００４９】
また、プロジェクタ１０に接続されるケーブル３０が複数である場合もプロジェクタ１０は上述した手法と同様の手法で判定可能である。例えば、通知部１３０は、ケーブル３０が外れていることが検出された端子の位置に応じて「ＨＤＭＩケーブルが外れています。」、「Ｓ−ＶＩＤＥＯケーブルが外れています。」、「Ｓ−ＶＩＤＥＯケーブルから画像信号が入力されていません。」等の通知を行ってもよい。
【００５０】
また、プロジェクタ１０としては、例えば、液晶プロジェクタ、ＤＭＤを用いたプロジェクタ、ＣＲＴプロジェクタ等の種々のプロジェクタ（前面投写型投写装置）を採用可能である。なお、ＤＭＤは米国テキサスインスツルメンツ社の商標である。
【００５１】
また、上述したプロジェクタ１０の機能は、例えば、プロジェクタ単体で実装してもよいし、複数の処理装置で分散して（例えば、プロジェクタとＰＣとで分散処理）実装してもよい。
【図面の簡単な説明】
【００５２】
【図１】本実施例におけるプロジェクタの使用形態を示す図である。
【図２】本実施例におけるプロジェクタの機能ブロック図である。
【図３】本実施例における通知の流れを示すフローチャートである。
【符号の説明】
【００５３】
１０  プロジェクタ、２０  ノートＰＣ、３０  ケーブル、１１０  接続判定部、１２０  入力判定部、１３０  通知部
【図１】
2007206408.tif 000003
【図２】
2007206408.tif 000004
【図３】
2007206408.tif 000005